(57)【要約】【課題】１回の不正計数行為を検知できないとしても、その後の不正行為者の行動に着目して最終的に不正計数行為を摘発する。【解決手段】少なくとも２枚の一般カード９を用いて基準値未満の持玉の払い出し（少量払出）が連続して計数貸出ユニット２にて行われると、その旨を管理装置５が報知する。又、少なくとも２枚の一般カード９から会員カード１０への基準値未満の持玉の合算（少量合算）が計数貸出ユニット２にて行われると、その旨を管理装置５が報知する。１回ずつの不正計数行為を検知することはできないが、それぞれの不正計数行為で入手した複数枚の一般カード９を１枚の一般カード９や会員カード１０にまとめる行為を検知することで、最終的に不正計数行為を摘発することができる。【選択図】図１
2015195964.tif 000002
【特許請求の範囲】
【請求項１】
貨幣の支払に応じて貸し出された遊技媒体を消費して遊技を実行し、遊技で入賞が発生したときには遊技媒体が払い出される複数の遊技機と、各遊技機に対応して設けられ、遊技者が獲得した遊技媒体を受け入れて計数し、その計数された遊技媒体数を特定するための計数情報を記録した記録媒体を発行すると共に、当該記録媒体に記録された計数情報に基づいて遊技媒体を払い出す計数装置と、を備えた遊技場用管理システムにおいて、
前記貸し出された遊技媒体の数を示す貸出媒体数と、前記払い出された遊技媒体の数を示す払出媒体数とを加算した値から前記遊技で消費された遊技媒体の数を示す消費媒体数を減算することにより、遊技者が獲得したと見込まれる理論上の遊技媒体数を理論媒体数として算出する理論媒体数算出手段と、
前記計数装置により計数された遊技媒体の数を示す計数媒体数から前記理論媒体数算出手段により算出された理論媒体数を減算した誤差媒体数が、予め設定された基準値以下又は未満であるか否かを判定する判定手段と、
前記判定手段が基準値以下又は未満でないと判定したときに異常の発生を報知する第１異常報知手段と、
前記計数装置が、前記基準値以下又は未満の遊技媒体数を示す計数情報が記録された記録媒体を受け入れて当該遊技媒体数を払い出したことを少量払出として検知する少量払出検知手段と、
前記少量払出検知手段が少なくとも２回以上連続して前記少量払出を検知したときに異常の発生を報知する第２異常報知手段と、を備えたことを特徴とする遊技場用管理システム。
【請求項２】
前記計数装置は、複数の記録媒体から読み取った計数情報により特定される遊技媒体数を合算し、その合算した遊技媒体数を特定するための計数情報を一の記録媒体と対応付けて記録する合算処理を実行可能に構成され、
前記計数装置が、前記基準値以下又は未満の遊技媒体数を示す計数情報が記録された複数の記録媒体を対象として前記合算処理を実行したことを少量合算として検知する少量合算検知手段と、
前記少量合算検知手段が前記少量合算を検知したときに異常の発生を報知する第３異常報知手段と、を備えたことを特徴とする請求項１に記載した遊技場用管理システム。
【発明の詳細な説明】
【技術分野】
【０００１】
本発明は、各遊技機に対応して計数装置が設けられている遊技場で用いられる遊技場用管理システムに関する。
【背景技術】
【０００２】
近年の遊技場においては、各遊技機に対応して計数装置が設けられ、遊技者が獲得した遊技媒体（玉、メダル等）をその場で即座に計数可能なシステムが普及している。そのようなシステムにおいては、遊技者にとって便利である反面、遊技場にとっては不正行為（偽造した遊技媒体の計数、他店舗から持ち込んだ遊技媒体の計数等）の危険性が高まるという問題がある。このような不正行為の危険性が高まるという問題に対し、例えば特許文献１に開示されている手法により不正行為を検知することが供されている。具体的には、遊技者が獲得していると見込まれる理論上の遊技媒体数と、実際に計数装置で計数された遊技媒体数とを照合し、両者の差が予め設定されている許容範囲内であるか否かを判定し、許容範囲内でない（許容範囲から外れている）場合に不正行為があったとみなして警報を出力するものである。
【先行技術文献】
【特許文献】
【０００３】
【特許文献１】特許第５２７０３７９号公報
【発明の概要】
【発明が解決しようとする課題】
【０００４】
しかしながら、実際の遊技場においては遊技者が少量の遊技媒体（数十玉程度）を手に持って遊技機を移動することが珍しくないので、そのような場合を不正行為として検知しないような許容範囲を設定するのが通常である。換言すれば、その許容範囲内であれば、不正に計数できてしまい、不正行為を摘発することができないという欠点があった。
【０００５】
本発明は、上記した事情に鑑みてなされたものであり、その目的は、１回の不正計数行為を検知できないとしても、その後の不正行為者の行動に着目して最終的に不正計数行為を摘発することができる遊技場用管理システムを提供することにある。
【課題を解決するための手段】
【０００６】
請求項１に記載した発明は、貨幣の支払に応じて貸し出された遊技媒体を消費して遊技を実行し、遊技で入賞が発生したときには遊技媒体が払い出される複数の遊技機と、各遊技機に対応して設けられ、遊技者が獲得した遊技媒体を受け入れて計数し、その計数された遊技媒体数を特定するための計数情報を記録した記録媒体を発行すると共に、当該記録媒体に記録された計数情報に基づいて遊技媒体を払い出す計数装置と、を備えた遊技場用管理システムにおいて、前記貸し出された遊技媒体の数を示す貸出媒体数と、前記払い出された遊技媒体の数を示す払出媒体数とを加算した値から前記遊技で消費された遊技媒体の数を示す消費媒体数を減算することにより、遊技者が獲得したと見込まれる理論上の遊技媒体数を理論媒体数として算出する理論媒体数算出手段と、前記計数装置により計数された遊技媒体の数を示す計数媒体数から前記理論媒体数算出手段により算出された理論媒体数を減算した誤差媒体数が、予め設定された基準値以下又は未満であるか否かを判定する判定手段と、前記判定手段が基準値以下又は未満でないと判定したときに異常の発生を報知する第１異常報知手段と、前記計数装置が、前記基準値以下又は未満の遊技媒体数を示す計数情報が記録された記録媒体を受け入れて当該遊技媒体数を払い出したことを少量払出として検知する少量払出検知手段と、前記少量払出検知手段が少なくとも２回以上連続して前記少量払出を検知したときに異常の発生を報知する第２異常報知手段と、を備えたことを特徴とする。
【０００７】
請求項２に記載した発明は、前記計数装置は、複数の記録媒体から読み取った計数情報により特定される遊技媒体数を合算し、その合算した遊技媒体数を特定するための計数情報を一の記録媒体と対応付けて記録する合算処理を実行可能に構成され、前記計数装置が、前記基準値以下又は未満の遊技媒体数を示す計数情報が記録された複数の記録媒体を対象として前記合算処理を実行したことを少量合算として検知する少量合算検知手段と、前記少量合算検知手段が前記少量合算を検知したときに異常の発生を報知する第３異常報知手段と、を備えたことを特徴とする。
【発明の効果】
【０００８】
請求項１に記載した発明によれば、計数媒体数から理論媒体数を減算した誤差媒体数が予め設定された基準値以下又は未満でないと判定すると、第１異常報知手段が異常の発生を報知し、更に、基準値以下又は未満の遊技媒体数を示す計数情報が記録された記録媒体を受け入れて当該遊技媒体数を払い出す少量払出を少なくとも２回以上連続して検知すると、第２異常報知手段が異常の発生を報知するようにした。これにより、１回ずつの不正計数行為を検知することはできないが、それぞれの不正計数行為で入手した複数の記録媒体を一の記録媒体にまとめる行為を検知することで、最終的に不正計数行為を摘発することができる。
【０００９】
請求項２に記載した発明によれば、基準値以下又は未満の遊技媒体数を示す計数情報が記録された複数の記録媒体を対象として合算処理を実行する少量合算を検知すると、第３異常報知手段が異常の発生を報知するようにした。これにより、複数の記録媒体から特定される遊技媒体数を合算して一の記録媒体にまとめて対応付ける合算機能がある場合であっても、同様に不正計数行為を摘発することができる。
【図面の簡単な説明】
【００１０】
【図１】本発明の一実施形態における遊技場用管理システムの全体構成図
【図２】遊技機及び計数貸出ユニットの正面図
【図３】計数貸出ユニットの機能ブロック図
【図４】ＰＯＳの斜視図
【図５】カードリーダライタの斜視図
【図６】ＰＯＳの機能ブロック図
【図７】フローチャート（その１）
【図８】フローチャート（その２）
【図９】フローチャート（その３）
【発明を実施するための形態】
【００１１】
以下、本発明の一実施形態について図面を参照して説明する。
図１は、遊技場用管理システムの全体構成を概略的に示している。遊技場内には複数の遊技機１が設置されており、各遊技機１に対応して計数貸出ユニット２（計数装置に相当）が設置されている。これら遊技機１及び計数貸出ユニット２は、複数台ずつ中継端末３と接続されている。中継端末３は、ＬＡＮ４を介して管理装置５（第１異常報知手段、第２異常報知手段、第３異常報知手段に相当）と接続されている。管理装置５は、遊技機側（遊技機１、計数貸出ユニット２等）から送信される遊技信号を受信することにより遊技機１毎の遊技データや会員登録された会員遊技者毎の個人データ等を管理する。尚、遊技場内には遊技媒体の貸出単価が異なる複数の遊技機島が形成されている。図１では、玉（遊技媒体）の貸出単価が４円の遊技機島（４円遊技機島）と１円の遊技機島（１円遊技機島）とを例示している。
【００１２】
遊技場内にはＰＯＳ（景品交換装置）６及び精算装置７も設置されている。これらＰＯＳ６及び精算装置７も、ＬＡＮ４を介して管理装置５と接続されている。ＰＯＳ６は、カードリーダライタ８を接続しており、一般カード９（図３参照）又は会員カード１０（図３参照）がカードリーダライタ８により受け付けられ、その受け付けられた一般カード９又は会員カード１０に記録されている遊技価値（持玉数や貯玉数）がカードリーダライタ８により読取られると、その読取られた遊技価値に基づいて景品交換処理を実行する。
【００１３】
精算装置７は、一般カード９又は会員カード１０がカード挿入口１１に挿入されると、その挿入された一般カード９又は会員カード１０に記録されている入金残高をカードリーダライタ（図示せず）により読取り、その読取った入金残高に対応する紙幣や硬貨を返却口１２から返却する返却処理を実行する。尚、ＰＯＳ６及び精算装置７において一般カード９又は会員カード１０に記録されている遊技価値を取扱うときは、管理装置５が一般カード９又は会員カード１０に対応して予め記憶している遊技価値と照合し、真であると判定したことを条件として遊技価値の取扱いを有効とする。
【００１４】
管理装置５は、遊技場内の例えば事務室等に設置されており、遊技場の管理者が操作するキーボード１３、モニタ１４、プリンタ（図示せず）等が接続されている。尚、図１では図示を省略したが、実際には例えば数百台の遊技機１が管理装置５の管理対象となっている。管理装置５は、遊技場内に設置された遊技機１、計数貸出ユニット２、ＰＯＳ６等の稼動状況を管理すると共に、遊技機１側から受信する各種の信号に基づいて遊技者毎の遊技価値（持玉数や貯玉数）や入金残高等を記憶管理する。持玉とは当日中に計数した玉であり、貯玉とは前日以前に計数した玉である。
【００１５】
図２は、遊技機１及び計数貸出ユニット２の構成を概略的に示している。遊技機１は、ＣＲパチンコ機であり、盤面１５に玉を発射する発射装置を構成する操作ハンドル１６、上部受皿１７、下部受皿１８を有すると共に、盤面１５に、液晶表示部１９、始動口２０、大入賞口２１を有する。遊技者が操作ハンドル１６を操作すると、玉（遊技媒体）が盤面１５に発射され、そのパチンコ玉が始動口２０に入賞すると、その入賞に応じた玉数のパチンコ玉を払出したり大当たり抽選を行ったりする。大当たり抽選では、液晶表示部１９において所謂特別図柄（特図）による図柄変動を実行し、停止表示された図柄が大当たり図柄の場合に大当たりが発生する。大当たりが発生すると、例えば１５ラウンド分だけ大入賞口２１を開放する。
【００１６】
遊技機１は、遊技者による遊技が進行することに応じて、遊技機１に投入された（盤面１５に打ち込まれて消費された）遊技媒体の数を示すアウト玉数（消費媒体数）を特定可能なアウト信号、遊技機１から入賞により払い出された遊技媒体の数を示すセーフ玉数（払出媒体数）を特定可能なセーフ信号、遊技機１で発生したスタート（大当たりの抽選の実行）を特定可能なスタート信号、遊技機１で発生した大当たり状態を特定可能な大当たり信号等の各種の遊技信号を送信する。
【００１７】
計数貸出ユニット２は、現在の運用状態（正常状態、エラー状態等）を示す状態表示部２２、紙幣が投入される紙幣投入口２３、遊技者からの操作入力を受け付けると共に、入金残高、持玉数及び貯玉数の情報や、遊技の進行に伴って図柄変動回数（スタート回数）や大当たり確率等の遊技データを表示するタッチパネル式の液晶表示部２４、１単位分（５００円相当）の玉を払い出すための払出ボタン２５、払出された玉が通過する払出ノズル２６、従業員が携帯する従業員リモコン４０（図１及び図３参照）からの光信号を受信するリモコン受光部２７、一般カード９又は会員カード１０が挿入されるカード挿入口２８、遊技機１の下部受皿１８の下方に位置する着脱可能な計数受皿２９等を有する。又、計数貸出ユニット２は、遊技機１に設けられている貸出ボタン３０及び返却ボタン３１の操作を検知可能となっている。
【００１８】
図３は、計数貸出ユニット２の機能ブロック図を示している。計数貸出ユニット２は、ＣＰＵ３２ａ、ＲＯＭ３２ｂ、ＲＡＭ３２ｃ、Ｉ／Ｏ３２ｄを有するマイクロコンピュータにより構成される制御部３２（理論媒体数算出手段、判定手段、少量払出検知手段、少量合算検知手段に相当）、当該制御部３２と接続された周辺部を備えて構成されている。周辺部としては、管理装置５及び遊技機１との間で各種の信号や各種の情報を送受信するＩ／Ｆ部３３、紙幣投入口２３に投入された紙幣の真贋を判定する紙幣処理部３４、液晶表示部２４、当該液晶表示部２４上に設けられたタッチパネル３５、カード挿入口２８に挿入された一般カード９又は会員カード１０に記録されている各種の情報を読取ったり書込んだりするカードリーダライタ３６、最大１０枚の一般カード９をストック可能なカードストック部３７、リモコン受光部２７、払出ボタン２５、当該払出ボタン２５が操作されたときに１単位分（例えば５００円分）の玉を払出ノズル２６から払い出す払出部３８、計数受皿２９から流入する玉を計数する計数部３９等である。
【００１９】
一般カード９にはＩＣチップ９ａが内蔵されており、そのＩＣチップ９ａにはカードを特定可能な一般ＩＤが記憶されている。会員カード１０にはＩＣチップ１０ａが内蔵されており、そのＩＣチップ１０ａにはカード（カードの会員）を特定可能な会員ＩＤが記憶されている。これら一般カード９又は会員カード１０は、計数貸出ユニット２に入金された入金残高を示す残高情報や持玉数を示す持玉情報を記録する（特定する）ための記録媒体である。一般カード９は当日限り有効であり、入金残高及び持玉数を記録可能である。会員カード１０は、予め設定されている有効期限（例えば３年間）まで有効であり、入金残高を記録可能である。会員カード１０に対応する持玉数や貯玉数は管理装置５のみに記憶される。
【００２０】
計数貸出ユニット２は、以下に示す機能を備えている。
（１）紙幣が紙幣投入口２３に投入されると、その投入された紙幣の金額（１０００円単位）を記憶すると共に、投入金額（入金残高）を液晶表示部２４に表示する。
（２）遊技機１の貸出ボタン３０が操作されると、その貸出ボタン３０の操作に応じて入金残高の範囲内で１度数（５００円）に相当する玉数の玉を遊技機１内部の払出機構から貸し出す（遊技媒体の貸出処理を行う）。４円遊技機島に設置されている計数貸出ユニット２であれば、１２５玉を払い出し、１円遊技機島に設置されている計数貸出ユニット２であれば、５００玉を払い出す。このとき、遊技機１から計数貸出ユニット２に１度数分の玉を払い出したことを示す信号が送信されるので、液晶表示部２４に表示されている入金残高から１度数（５００円）を減額すると共に、貸し出した遊技媒体の数を示す貸出玉数（貸出媒体数）を特定可能な売上信号を送信する。この売上信号は１度数分の玉を払い出す毎に１パルスが送信されるので、１パルスを５００円分の売上額として特定する。
【００２１】
（３）遊技機１の下部受皿１８から落下した玉が計数受皿２９で受けられると、その計数受皿２９で受けられた玉が計数部３９に流入することで玉を計数し、その計数した玉数である計数玉数を液晶表示部２４に表示する（遊技媒体の計数処理を行う）。
（４）払出ボタン２５が操作されると、その払出ボタン２５の操作に応じて計数玉数（持玉数）又は貯玉数（会員遊技者の場合）の範囲内で１度数（５００円）に相当する玉数の玉を遊技機１内部の払出機構から払い出す（遊技媒体の払出処理を行う）。
【００２２】
（５）遊技機１の返却ボタン３１が操作されると、その返却ボタン３１の操作に応じて入金残高や持玉数を一般カード９又は会員カード１０に記録して発行する（遊技媒体の返却処理を行う）。一般カード９及び会員カード１０の何れもカード挿入口２８に挿入されていない場合は、カードストック部３７にストックしている一般カード９を図示しない記録媒体移動手段によりカードリーダライタ３６に繰り出して（セットして）入金残高及び持玉数を記録して発行する。尚、一般カード９はカードストック部３７に最大１０枚までストック可能である。会員カード１０がカード挿入口２８に挿入されている場合は、入金残高を会員カード１０に記録し、暗証番号の入力を条件として持玉数を管理装置５に送信してから会員カード１０を発行する。一般カード９又は会員カード１０を発行する場合は、発行情報を管理装置５へ送信し、管理装置５側にも記憶する。尚、このように持玉数を一般カード９又は会員カード１０に記録して発行したときには、計数玉数をゼロリセットする（初期化する）と共に、後述する理論玉数から発行玉数（一般カード９に記録した持玉数又は管理装置５に送信した持玉数）を減算する。
【００２３】
（６）一般カード９がカード挿入口２８に挿入されると（受け付けられると）、一般カード９に記録されている入金残高及び持玉数をカードリーダライタ３６により読出して液晶表示部２４に表示する。一般カード９が受け付けられたときは、その一般カード９に記録されている入金残高及び持玉数の範囲内で貸出処理及び払出処理を行う。尚、一般カード９に記録されている持玉数が１度数に相当する玉数に満たないときに払出処理を行うときは、その１度数に相当する玉数に満たない持玉数を全て払い出す。
【００２４】
（７）会員カード１０がカード挿入口２８に挿入されると（受け付けられると）、会員カード１０に記録されている入金残高をカードリーダライタ３６により読出して液晶表示部２４に表示すると共に、暗証番号の入力を条件として管理装置５の会員口座に記憶されている貯玉数（当日貯玉数や前日貯玉数）も表示する。当日貯玉数とは当日貯玉された貯玉数であり、前日貯玉数とは前日までの貯玉数である。尚、当日貯玉数は営業終了後に前日貯玉数に合算されて記憶される。会員カード１０が受け付けられたときは、会員カード１０に記録されている入金残高、その会員カード１０に対応して管理装置５が記憶している持玉数及び貯玉数の範囲内で貸出処理及び払出処理を行う。
【００２５】
（８）一般カード９がカード挿入口２８に挿入されている状態で、会員カード１０がカード挿入口２８に挿入されると、一般カード９に記録されている入金残高及び持玉数をそれぞれ会員カード１０の入金残高及び持玉数に合算して記録する。一般カード９に記録されている入金残高及び持玉数をそれぞれ会員カード１０の入金残高及び持玉数に合算すると、一般カード９の記憶情報（入金残高及び持玉数）をゼロリセットし（初期化し）、その記憶情報を初期化した一般カード９を記録媒体移動手段によりカードストック部３７に回収する。尚、会員カード１０がカード挿入口２８に挿入されている状態で、一般カード９がカード挿入口２８に挿入されても、会員カード１０に対応する持玉数を一般カード９に合算しない（合算不可能である）。即ち、一般カード９の入金残高及び持玉数を会員カード１０の入金残高及び持玉数に合算する行為は許可されるが、会員カード１０の入金残高及び持玉数を一般カード９の入金残高及び持玉数に合算する行為は禁止される。
【００２６】
（９）液晶表示部２４に対する操作入力に応じて対応する遊技機１又は指定された他の遊技機１の遊技データを表示したり、遊技場からのメッセージを表示したり、遊技者が会員遊技者であることが特定された場合は遊技機１の遊技データを表示したりする。
【００２７】
図４は、ＰＯＳ６の構成を概略的に示している。図５は、カードリーダライタ８の構成を概略的に示している
ＰＯＳ６は、タッチパネル式の液晶表示部４１、景品の入庫操作等を行うための入庫釦４２、各種の操作釦４３、特殊景品への交換操作を行うための交換釦４４、景品交換表示を終了させるための終了釦４５、景品の種類を選択するためのＰＬＵ釦４６、各操作を取り消すためのキャンセル釦４７、各景品の数量を入力するためのテンキー４８、スキャナ４９等を有する。カードリーダライタ８は、ＰＯＳ６と通信可能に設けられており、タッチパネル式の液晶表示部５０、一般カード９を非接触により（取り込まずに）受付可能な一般カード受付部５１、会員カード１０を取り込んで受付可能な会員カード受付部５２等を有する。
【００２８】
図６は、ＰＯＳ６の機能ブロック図を示している。ＰＯＳ６は、ＣＰＵ５３ａ、ＲＯＭ５３ｂ、ＲＡＭ５３ｃ、Ｉ／Ｏ５３ｄを有するマイクロコンピュータにより構成される制御部５３、当該制御部５３と接続された周辺部を備えて構成されている。周辺部としては、管理装置５及びカードリーダライタ８との間で各種の信号や各種の情報を送受信するＩ／Ｆ部５４、液晶表示部４１、液晶表示部４１に表示されるタッチ釦や各種の釦４２〜４８を含む操作部５５、スキャナ４９等である。
【００２９】
ＰＯＳ６は、一般カード９により特定される遊技価値（持玉数や貯玉数）と会員カード１０により特定される遊技価値とを合算して景品交換処理を実行可能となっている。即ち、カードリーダライタ８は、一般カード９が一般カード受付部５１に受け付けられると、その一般カード９に記録されている持玉数を読取ってＰＯＳ６に出力する。カードリーダライタ８は、一般カード９の一般カード受付部５１への受け付けが解除され、会員カード１０が会員カード受付部５２に受け付けられると、遊技者からの暗証番号の入力を待機し、遊技者からの暗証番号の入力を受け付けると、会員カード１０を特定可能なカード情報及び当該受け付けた暗証番号をＰＯＳ６に出力する。
【００３０】
ＰＯＳ６は、カードリーダライタ８からカード情報及び暗証番号を入力すると、そのカード情報及び暗証番号を管理装置５に送信し、その会員カード１０に対応して記憶されている貯玉数を管理装置５から受信し、一般カード９から読取った持玉数と管理装置５から受信した貯玉数とを合算して液晶表示部４１に表示する。この場合、ＰＯＳ６は、景品交換処理を終了した時点で持玉数が残っているときは、会員カード１０の持玉として記録し、一般カード９は回収する。
【００３１】
管理装置５は、記憶しているコンピュータプログラムにしたがって作動し、遊技機１の稼動状況を示す遊技データ（アウト玉数、セーフ玉数、遊技機１で発生した大当たりの回数を示す大当たり回数、遊技機１で実行されたゲームの回数を示すスタート回数、遊技機１が稼動している時間を示す稼動時間等）を管理して表示する遊技情報表示サービス、遊技者が遊技により獲得した遊技媒体を一旦貯蓄して当日又は後日遊技に再利用できるようにする貯玉サービス等を行う。尚、管理装置５が管理する遊技データは例示したものに限定されない。
【００３２】
さて、上記したような各遊技機１に対応して計数貸出ユニット２が設置されている構成では、遊技者が獲得した遊技媒体をその場で即座に計数することができる点で遊技者にとって便利である反面、遊技場にとっては不正行為（偽造した遊技媒体の計数、他店舗から持ち込んだ遊技媒体の計数等）の危険性が高まるという問題が懸念される。不正行為者が行う不正行為としては、１円遊技機島の玉や偽造した玉を４円遊技機島へと持ち込んで計数する行為がある。この場合、従業員が遊技場内を巡回している最中に大量の玉を持ち込むことは難しいので、少量の玉をポケット等に隠して持ち込む場合が多い。即ち、１回で数十個程度の不正計数を行い、それを複数回繰り返すことで複数枚の一般カード９を入手し、それら複数枚の一般カード９を１枚の一般カード９又は会員カード１０にまとめて景品交換を行うことが想定される。この場合、少量の玉が記録された複数枚の一般カード９を提出して景品交換を行う行為は不自然で従業員に対して不信感を与える虞があるので、景品交換を行う前に複数枚の一般カード９を１枚の一般カード９又は会員カード１０にまとめることが想定される。不正行為者が行う不正行為としては以下のパターンが想定される。
【００３３】
（ア）複数枚の一般カード９を１枚の一般カード９にまとめる場合
（イ）複数枚の一般カード９を１枚の会員カード１０にまとめる場合
それぞれの不正行為での手順は以下の通りである。
【００３４】
（ア）複数枚の一般カード９を１枚の一般カード９にまとめる場合
手順１：１００玉未満の玉を１円遊技機島から４円遊技機島へと持ち込んで計数貸出ユニット２にて計数し、一般カード９を発行して入手する。
手順２：手順１の行為を複数回繰り返して複数枚の一般カード９を入手する。
手順３：複数枚の一般カード９に記録されているそれぞれの玉数を計数貸出ユニット２にて払い出して計数し、１枚の一般カード９を発行して入手する（一般カード９にまとめる）
手順４：一般カード９を利用して景品交換する。
【００３５】
（イ）複数枚の一般カード９を１枚の会員カード１０にまとめる場合
手順１：１００玉未満の玉を１円遊技機島から４円遊技機島へと持ち込んで計数貸出ユニット２にて計数し、一般カード９を発行して入手する。
手順２：手順１の行為を複数回繰り返して複数枚の一般カード９を入手する。
手順３：複数枚の一般カード９に記録されているそれぞれの玉数を計数貸出ユニット２にて合算して会員カード１０の貯玉として記録する（会員カード１０にまとめる）。
手順４：会員カード１０を利用して景品交換する。
このような想定される不正行為に対し、本発明では、計数貸出ユニット２が上記した（１）から（９）に加え、以下に示す機能を備えている。
（１０）実際の計数玉数と、遊技者が獲得したと見込まれる理論上の玉数（理論玉数）とを照合し、その誤差が予め定められた許容範囲内であれば正常（不正計数が行われていない）と判定し、許容範囲外であれば異常（不正計数が行われた）と判定する。尚、理論玉数は以下の演算式により求める。
【００３６】
理論玉数（理論媒体数）＝貸出玉数（貸出媒体数）＋セーフ玉数（払出媒体数）
−アウト玉数（消費媒体数）
貸出玉数＝入金残高、持玉数、貯玉数の何れかから貸し出された玉数
セーフ玉数＝遊技機１から入賞により払い出された玉数
アウト玉数＝遊技機１に投入された（盤面１５に打ち込まれて消費された）玉数
計数玉数（計数媒体数）＝計数貸出ユニット２の計数部３９が計数した実際の玉数
【００３７】
（１１）計数玉数から理論玉数を減算した誤差（誤差媒体数）が基準値（例えば１００）以内であれば許容範囲内であると判定し、誤差が基準値以内でなければ（基準値から外れていれば）許容範囲外であると判定する。尚、４円遊技機島内での持玉の移動は許容されているので、その持玉の移動により不正行為と判定することがないように基準値が設定される。遊技者が手に持てる程度の量を想定し、例えば１００〜２００程度の基準値が妥当である。
【００３８】
計数貸出ユニット２は、上記した手順１及び２の行為を検知することは不可能であるが、手順３の行為を検知することで不正行為を摘発する。具体的には、（ア）複数枚の一般カード９を１枚の一般カード９にまとめる行為に対しては、複数枚の一般カード９からそれぞれ基準値未満の玉数が連続して払い出されたときに不正行為であると判定する。この場合は、払い出された後に計数しないでそのまま遊技する場合も検知することができる。又、（イ）複数枚の一般カード９を１枚の会員カード１０にまとめる行為に対しては、複数枚の一般カード９からそれぞれ基準値未満の玉数が同一の会員カード１０に対して合算されて貯玉されたときに不正行為であると判定する。
【００３９】
次に、上記した構成の作用について、図７から図９も参照して説明する。計数貸出ユニット２は、本発明に関連し、
（１）計数誤差異常検知処理
（２）第１不正計数検知処理
（３）第２不正計数検知処理
をそれぞれ所定周期で行う。以下、それぞれの処理について順次説明する。計数貸出ユニット２は、メイン処理を実行中にそれぞれの処理の開始タイミングになったか否かを判定しており、該当する処理の開始タイミングになったと判定すると、メイン処理から該当する処理に移行し、該当する処理を開始する。
【００４０】
（１）計数誤差異常検知処理
計数貸出ユニット２は、メイン処理を実行中に計数誤差異常検知処理の開始タイミングになったと判定すると、計数誤差異常検知処理を開始する。計数貸出ユニット２は、計数誤差異常検知処理を開始すると、遊技媒体の貸し出し、遊技媒体の払い出し、遊技媒体の打ち込みの何れかが発生したか否かを判定し（Ｓ１）、遊技媒体の計数が発生したか否かを判定し（Ｓ２）、計数玉の返却が発生したか否かを判定する（Ｓ２）。計数貸出ユニット２は、遊技媒体の貸し出し、遊技媒体の払い出し、遊技媒体の打ち込みの何れもが発生していないと判定し（Ｓ１：ＮＯ）、遊技媒体の計数が発生していないと判定し（Ｓ２：ＮＯ）、計数玉の返却が発生していないと判定すると（Ｓ３：ＮＯ）。計数誤差異常検知処理を終了してメイン処理にリターンする。
【００４１】
計数貸出ユニット２は、遊技媒体の貸し出し、遊技媒体の払い出し、遊技媒体の打ち込みの何れかが発生したと判定すると（Ｓ１：ＹＥＳ）、上記した演算式を用いて理論玉数を演算する（Ｓ４）。又、計数貸出ユニット２は、遊技媒体の計数が発生したと判定すると（Ｓ２：ＹＥＳ）、又は計数玉の返却が発生したと判定すると（Ｓ３：ＹＥＳ）、計数玉数を演算する（Ｓ５）。計数貸出ユニット２は、理論玉数又は計数玉数を演算すると、その時点での計数玉数から理論玉数を減算して誤差を演算し（Ｓ６）、その演算した誤差を基準値（例えば１００）と比較して許容範囲内であるか否かを判定する（Ｓ７）。計数貸出ユニット２は、演算した誤差が基準値以内であれば許容範囲内であると判定し（Ｓ７：ＹＥＳ）、第１異常情報を管理装置５に送信せずに計数誤差異常検知処理を終了してメイン処理にリターンする。一方、計数貸出ユニット２は、演算した誤差が基準値以内でなければ（基準値から外れていれば）許容範囲外であると判定し（Ｓ７：ＮＯ）、対応する遊技機１の台番を特定可能な第１異常情報を管理装置５に送信し（Ｓ８）、計数誤差異常検知処理を終了してメイン処理にリターンする。
【００４２】
管理装置５は、計数貸出ユニット２から第１異常情報を受信すると、その第１異常情報をモニタ１４上に表示する（第１異常報知を行う）。従業員は、モニタ１４上に表示される第１異常情報を確認することで、不正計数行為が発生した遊技機１の台番を把握可能となる。又、従業員は、不正計数行為が発生した遊技機１の台番を把握することで、不正発生行為が発生した遊技機１の付近を巡回している別の従業員に対して目視確認を指示可能ともなる。尚、第１異常情報を計数貸出ユニット２の液晶表示部２４や状態表示部２２により報知しても良い。
【００４３】
（２）第１不正計数検知処理
第１不正計数検知処理は、上記した（ア）複数枚の一般カード９を１枚の一般カード９にまとめる不正行為を検知する処理である。計数貸出ユニット２は、メイン処理を実行中に第１不正計数検知処理の開始タイミングになったと判定すると、第１不正計数検知処理を開始する。計数貸出ユニット２は、第１不正計数検知処理を開始すると、一般カード９が受け付けられたか否かを判定し（Ｓ１１）、一般カード９が受け付けられたと判定すると（Ｓ１１：ＹＥＳ）、その一般カード９に入金残高が記録されているか否かを判定する（Ｓ１２）。計数貸出ユニット２は、入金残高が記録されていないと判定すると（Ｓ１２：ＮＯ）、その一般カード９に記録されている持玉数と基準値とを照合し、持玉数が基準値未満であるか否かを判定する（Ｓ１３）。
【００４４】
計数貸出ユニット２は、持玉数が基準値未満であると判定すると（Ｓ１３：ＹＥＳ）、その基準値未満の持玉の払い出しが行われたか否かを判定する（Ｓ１４）。計数貸出ユニット２は、基準値未満の持玉の払い出しが行われたと判定すると（Ｓ１４：ＹＥＳ）、その時点で第１監視フラグをオンしているか否かを判定する（Ｓ１５）。計数貸出ユニット２は、その時点で第１監視フラグをオンしていないと判定すると（Ｓ１５：ＮＯ）、第１監視フラグをオンし（Ｓ１６）、第１不正計数検知処理を終了してメイン処理にリターンする。一方、計数貸出ユニット２は、その時点で第１監視フラグをオンしていると判定すると（Ｓ１５：ＹＥＳ）、対応する遊技機１の台番を特定可能な第２異常情報を管理装置５に送信し（Ｓ１７）、第１不正計数検知処理を終了してメイン処理にリターンする。
【００４５】
尚、計数貸出ユニット２は、一般カード９が受け付けられてないと判定すると（Ｓ１１：ＮＯ）、受け付けられた一般カード９に入金残高が記録されていると判定すると（Ｓ１２：ＹＥＳ）、一般カード９に記録されている持玉数が基準値未満でない（基準値以上である）と判定すると（Ｓ１３：ＮＯ）、又は基準値未満の持玉の払い出しが行われていないと判定すると（Ｓ１４：ＮＯ）、第１不正計数検知処理を終了してメイン処理にリターンする。
【００４６】
即ち、計数貸出ユニット２は、一般カード９を用いて基準値未満の持玉の払い出しが１回のみ行われても第２異常情報を管理装置５に送信しないが、少なくとも２枚の一般カード９を用いて基準値未満の持玉の払い出しが連続して行われると、第２異常情報を管理装置５に送信する。管理装置５は、計数貸出ユニット２から第２異常情報を受信すると、その第２異常情報をモニタ１４上に表示する（第２異常報知を行う）。従業員は、モニタ１４上に表示される第２異常情報を確認することで、少なくとも２枚の一般カード９を用いて基準値未満の持玉の払い出しが連続して行われたことを把握可能となる。尚、２枚の一般カード９を用いて基準値未満の持玉の払い出しが連続して行われた場合に第２異常情報を管理装置５に送信するようにしたが、３枚以上の一般カード９を用いて基準値未満の持玉の払い出しが連続して行われた場合に第２異常情報を管理装置５に送信しても良い。又、計数貸出ユニット２は、第１監視フラグをオンした後では、入金が発生したこと、入金残高又は基準値以上の持玉数が記録されている一般カード９が受け付けられたこと、会員カード１０が受け付けられたことのうち何れかが成立したときに第１監視フラグをオフにする。
【００４７】
（３）第２不正計数検知処理
第２不正計数検知処理は、上記した（イ）複数枚の一般カード９を１枚の会員カード１０にまとめる不正行為を検知する処理である。計数貸出ユニット２は、メイン処理を実行中に第２不正計数検知処理の開始タイミングになったと判定すると、第２不正計数検知処理を開始する。計数貸出ユニット２は、第２不正計数検知処理を開始すると、一般カード９の入金残高及び持玉数を会員カード１０の入金残高及び持玉数に合算する行為が発生したか否かを判定し（Ｓ２１）、合算する行為が発生したと判定すると（Ｓ２１：ＹＥＳ）、その合算の対象の持玉数である合算玉数と基準値とを照合し、合算玉数が基準値未満であるか否かを判定する（Ｓ２２）。
【００４８】
計数貸出ユニット２は、合算玉数が基準値未満であると判定すると（Ｓ２２：ＹＥＳ）、その時点で第２監視フラグをオンしているか否かを判定する（Ｓ２３）。計数貸出ユニット２は、その時点で第２監視フラグをオンしていないと判定すると（Ｓ２３：ＮＯ）、第２監視フラグを会員ＩＤに対応付けてオンし（Ｓ２４）、第２不正計数検知処理を終了してメイン処理にリターンする。一方、計数貸出ユニット２は、その時点で第２監視フラグをオンしていると判定すると（Ｓ２３：ＹＥＳ）、対応する遊技機１の台番を特定可能な第３異常情報を管理装置５に送信し（Ｓ２５）、第２不正計数検知処理を終了してメイン処理にリターンする。
【００４９】
尚、計数貸出ユニット２は、合算する行為が発生していないと判定すると（Ｓ２１：ＮＯ）、又は合算玉数が基準値未満でない（基準値以上である）と判定すると（Ｓ２２：ＮＯ）。第２不正計数検知処理を終了してメイン処理にリターンする。
【００５０】
即ち、計数貸出ユニット２は、一般カード９から会員カード１０への基準値未満の持玉の合算が１回のみ行われても第３異常情報を管理装置５に送信しないが、少なくとも２枚の一般カード９から会員カード１０への基準値未満の持玉の合算が連続して行われると、第３異常情報を管理装置５に送信する。管理装置５は、計数貸出ユニット２から第３異常情報を受信すると、その第３異常情報をモニタ１４上に表示する（第３異常報知を行う）。従業員は、モニタ１４上に表示される第３異常情報を確認することで、少なくとも２枚の一般カード９から会員カード１０への基準値未満の持玉の合算が連続して行われたことを把握可能となる。尚、２枚の一般カード９を用いて基準値未満の持玉の合算が連続して行われた場合に第３異常情報を管理装置５に送信するようにしたが、３枚以上の一般カード９を用いて基準値未満の持玉の合算が連続して行われた場合に第２異常情報を管理装置５に送信しても良い。又、計数貸出ユニット２は、第２監視フラグをオンした後では、会員カードへの入金が発生したこと、貯玉の払い出しが発生したこと、景品交換が発生したことのうち何れかが成立したときに第２監視フラグをオフにする。
【００５１】
以上に説明した本実施形態によれば、次のような効果を奏することができる。
少なくとも２枚の一般カード９を用いて基準値未満の持玉の払い出し（少量払出）が計数貸出ユニット２にて連続して行われると、第２異常情報を管理装置５に送信し、その旨を管理装置５が報知するようしたので、少なくとも２枚の一般カード９を用いて基準値未満の持玉の払い出しが連続して行われたことを従業員が把握することができる。これにより、１回ずつの不正計数行為を検知することはできないが、それぞれの不正計数行為で入手した複数枚の一般カード９を１枚の一般カード９にまとめる行為を検知することで、最終的に不正計数行為を摘発することができる。
【００５２】
又、少なくとも２枚の一般カード９から会員カード１０への基準値未満の持玉の合算（少量合算）が計数貸出ユニット２にて行われると、第３異常情報を管理装置５に送信し、その旨を管理装置５が報知するようしたので、少なくとも２枚の一般カード９から会員カード１０への基準値未満の持玉の合算が連続して行われたことを従業員が把握することができる。これにより、複数枚の一般カード９を１枚の会員カード１０にまとめる合算機能を有する構成においても、それぞれの不正計数行為で入手した複数枚の一般カード９を１枚の会員カード１０にまとめる行為を検知することで、最終的に不正計数行為を摘発することができる。即ち、合算機能が悪用されることを未然に防止することができる。
【００５３】
本発明は、上記した実施形態にのみ限定されるものではなく、以下のように変形又は拡張することができる。
複数枚の一般カード９からそれぞれ基準値未満の玉数が同一の会員カード１０に対して合算されて貯玉されたときに不正行為であると判定する構成を例示したが、合算処理の対象を会員カード１０だけでなく一般カード９も加えることで、複数枚の一般カード９からそれぞれ基準値未満の玉数が同一の一般カード９に対して合算されて記録されたときにも不正行為であると判定しても良い。
【００５４】
一般カード９に持玉数を記録するようにしたが、一般カード９に識別情報のみを記録すると共に、管理装置５が持玉数を記憶し、識別情報に基づいて管理装置５が記憶している持玉数を特定するようにしても良い。
会員カード１０に持玉数や貯玉数を記録し、管理装置５が記憶している持玉数や貯玉数と照合した上で景品交換するようにしても良い。
記録媒体の形態はカードに限定されず、コイン形状等どのような形態であっても良い。又、パチンコ遊技機に限定されず、例えばスロットマシンであっても良い。
【００５５】
一般カード９は原則として当日限り有効であるが、当日中に入金残高の精算をしなかった場合には例外的に翌日以降でも精算可能としても良い。
遊技媒体の貸し出しや払い出しを、遊技機１内部の払出機構により行うようにしたが、計数貸出ユニット２に設けられた払出機構により行っても良い。
管理装置５が行う情報処理の一部を中継装置３や計数貸出ユニット２にて行っても良い。変形例を含む例示した構成をどのように組み合わせても良いし、適宜構成を除外しても良い。
【符号の説明】
【００５６】
図面中、１は遊技機、２は計数貸出ユニット（計数装置）、５は管理装置（第１異常報知手段、第２異常報知手段、第３異常報知手段）、９は一般カード（記録媒体）、１０は会員カード（記録媒体）、３２は制御部（理論媒体数算出手段、判定手段、少量払出検知手段、少量合算検知手段）である。
【図１】
2015195964.tif 000003
【図２】
2015195964.tif 000004
【図３】
2015195964.tif 000005
【図４】
2015195964.tif 000006
【図５】
2015195964.tif 000007
【図６】
2015195964.tif 000008
【図７】
2015195964.tif 000009
【図８】
2015195964.tif 000010
【図９】
2015195964.tif 000011